【手続補正書】
【提出日】平成22年3月19日(2010.3.19)
【手続補正１】
【補正対象書類名】特許請求の範囲
【補正対象項目名】全文
【補正方法】変更
【補正の内容】
【特許請求の範囲】
【請求項１】
第１の光伝送路と、
前記第１の光伝送路を介して周期的に波長が変化する第１の光信号を与える光信号供給手段と、
前記光信号供給手段により与えられた前記第１の光信号を受け、外部から受けた振動の変位に対応付けられた波長を透過あるいは遮光した第２の光信号を出力するセンサ部と、
前記センサ部において生成される前記第２の光信号を伝送する第２の光伝送路と、
前記第２の光伝送路を介して入力される前記第２の光信号に基づいて前記センサ部が受けた振動の変位に応じた検出信号を出力する信号出力部とを備え、
前記信号出力部は、前記第２の光信号の入力に応答して検出されるパルス信号のタイミングと所定のタイミングとのタイミング差に基づいて前記センサ部が受けた振動の変位に応じた検出信号を出力する。振動検出装置。
【請求項２】
前記センサ部は、
外部から受けた振動に応じて変位を発生する変位発生部と、
前記第１の光伝送路と前記第２の光伝送路との間に配置され、前記変位発生部において発生した変位に応じて、透過あるいは遮光させる光の波長を変化させる光フィルタ部とを含む、請求項１に記載の振動検出装置。
【請求項３】
前記変位発生部は、前記光フィルタ部と連結され、自身の発生する変位を直接的に前記光フィルタ部へ与える、請求項２に記載の振動検出装置。
【請求項４】
前記センサ部は、
前記変位発生部と連結され、前記変位発生部において発生する変位に応じた電力を発生する変位電気変換部と、
前記光フィルタ部と連結され、前記変位電気変換部において発生する電力に応じた変位を前記光フィルタ部へ与える圧電素子とをさらに含む、請求項２に記載の振動検出装置。
【請求項５】
前記センサ部は、
外部から受けた振動に応じて変位を発生する変位発生部と、
前記変位発生部において発生した変位に応じて、反射する光の波長を変化させる光反射部と、
前記第１の光伝送路を介して伝送される前記第１の光信号を前記光反射部へ導き、かつ、前記光反射部において反射されて生じる前記第２の光信号を前記第２の光伝送路へ導く光方向性結合部とを含む、請求項１に記載の振動検出装置。
【請求項６】
前記光信号供給手段は、
反射板と、
生成した光信号を前記反射板との間で増幅して前記第１の光信号として射出する光増幅器と、
前記第１の光伝送路と前記光増幅器との間に配置され、外部信号に対応して透過させる光の波長を変化させる波長可変光フィルタを有する光フィルタ部とを含む、請求項１に記載の振動検出装置。
【請求項７】
前記光信号供給手段は、
生成した光信号を循環させて増幅した前記第１の光信号を射出する光増幅器と、
前記光増幅器を循環する前記光信号の循環経路に設けられ、外部信号に対応して透過させる光の波長を変化させる波長可変光フィルタを有する光フィルタ部とを含む、請求項１に記載の振動検出装置。
【請求項８】
前記光信号供給手段は、正弦波状に時間に対して波長が周期的に変化する前記第１の光信号を前記第１の光伝送路に与え、
前記信号出力部は、前記第２の光信号の入力に応答して検出されるパルス信号のうち奇数番目および偶数番目のうちのいずれか一方のタイミングと所定のタイミングとのタイミング差に基づいて前記センサ部が受けた振動の変位に応じた検出信号を出力する、請求項１に記載の振動検出装置。
【請求項９】
前記光信号供給手段は、正弦波状に時間に対して波長が周期的に変化する前記第１の光信号を供給し、
前記第１の光伝送路と前記光信号供給手段との間に設けられ、指示に応答して前記第１の光信号を遮断するための光ゲートと、
前記光ゲートの遮断期間のタイミングを制御する制御手段とをさらに備える、請求項１に記載の振動検出装置。
【請求項１０】
前記光信号供給手段は、
単一波長の光信号を生成して射出する光信号生成部と、
指示に応答して前記光信号生成部から射出された光信号を遮断するための光ゲートと、
前記光ゲートを通過した光信号を循環させて、前記第１の光信号として射出するための光信号循環部とを含み、
前記光信号循環部は、前記光ゲートと前記第１の光伝送路との間に設けられ、前記第１の光伝送路に与えられる前記第１の光信号の一部を抽出する光分岐部と、
前記光分岐部に循環する循環経路上に設けられ、前記光分岐部から抽出された光信号を通過させる際、循環回数に応じて通過させる波長をシフトする波長シフト部とを含む、請求項１に記載の振動検出装置。
【請求項１１】
前記信号出力部は、
前記光信号供給手段から前記第１の光伝送路に与えられる第１の光信号の一部を抽出する光分岐部と、
前記光分岐部において抽出された第３の光信号を受け、所定の波長の光を通過あるいは遮光させるフィルタ部と、
前記第２の光伝送路を介して入力される前記第２の光信号の入力に応答して第１のパルス信号を生成する第１の光電気変換部と、
前記フィルタ部を通過して入力される前記第３の光信号の入力に応答して第２のパルス信号を生成する第２の光電気変換部と、
前記第１および第２の光電気変換部により生成されたパルス信号を検出して、第２のパルス信号のタイミングを基準として、前記第１のパルス信号とのタイミング差に基づいて前記センサ部が受けた振動の変位に応じた検出信号を出力する演算部とを含む、請求項１に記載の振動検出装置。
【請求項１２】
前記信号出力部は、
前記光信号供給手段から前記第１の光伝送路に与えられる第１の光信号の一部を抽出する光分岐部と、
前記光分岐部において抽出された第３の光信号を受け、所定の波長の光を通過させるフィルタ部と、
前記第２の光伝送路を介して入力される前記第２の光信号および前記フィルタ部を通過して入力される前記第３の光信号の入力に応答して第１および第２のパルス信号を生成する光電気変換部と、
前記光電気変換部により生成されたパルス信号を検出して、第２のパルス信号のタイミングを基準として、前記第１のパルス信号とのタイミング差に基づいて前記センサ部が受けた振動の変位に応じた検出信号を出力する演算部とを含む、請求項１に記載の振動検出装置。
【請求項１３】
前記信号出力部は、
前記所定のタイミングのタイミング信号を出力するトリガ回路と、
前記第２の光伝送路を介して入力される前記第２の光信号の入力に応答してパルス信号を生成する光電気変換部と、
前記光電気変換部により生成された前記パルス信号を検出して、前記パルス信号と入力される前記タイミング信号とのタイミング差に基づいて前記センサ部が受けた振動の変位に応じた検出信号を出力する演算部とを含む、請求項１に記載の振動検出装置。
【請求項１４】
前記光信号供給手段は、時間に対して波長が正弦波状に周期的に変化する前記第１の光信号を前記第１の光伝送路に与え、
前記信号出力部は、前記第２の光信号の入力に応答して検出されるパルス信号のうち連続する２つのパルス間のタイミング差に基づいて前記センサ部が受けた振動の変位に応じた検出信号を出力する、請求項１に記載の振動検出装置。
【請求項１５】
第１の光伝送路と、
前記第１の光伝送路を介して周期的に波長が変化する第１の光信号を与える光信号供給手段と、
前記光信号供給手段により与えられた前記第１の光信号を受け、外部から受けた第１の振動の変位に対応付けられた波長を透過した第２の光信号を出力させる第１のセンサ部と、
前記光信号供給手段から前記第１の光伝送路に与えられた第１の光信号の一部を抽出する光分岐部と、
前記光分岐部により抽出された第３の光信号を受け、外部から受けた第２の振動の変位に対応付けられた波長を遮光した第４の光信号を出力させる第２のセンサ部と、
前記第１および第２のセンサ部から出力される前記第２および第４の光信号を結合する光結合部と、
前記光結合部を介して入力される第５の光信号を伝送する第２の光伝送路と、
前記第２の光伝送路を介して入力される前記第５の光信号に基づいて前記第１および第２のセンサ部がそれぞれ受けた振動の変位に応じた第１および第２の検出信号を出力する信号出力部とを備え、
前記信号出力部は、前記第５の光信号の入力に応答して検出される信号のタイミングと所定のタイミングとのタイミング差に基づいて前記第１および第２のセンサ部が受けた振動の変位に応じた前記第１および第２の検出信号を並列に出力する、振動検出装置。
【請求項１６】
前記第１のセンサ部は、
外部から受けた振動に応じて変位を発生する第１の変位発生部と、
前記光分岐部と前記光結合部との間に配置され、前記光分岐部からの第１の光信号を受けて前記第１の変位発生部において発生した変位に応じて、透過させる光の波長を変化させる第１の光フィルタ部とを含み、
前記第２のセンサ部は、
外部から受けた振動に応じて変位を発生する第２の変位発生部と、
前記光分岐部と前記光結合部との間に配置され、前記光分岐部からの第３の光信号を受けて前記第２の変位発生部において発生した変位に応じて、遮光させる光の波長を変化させる第２の光フィルタ部とを含む、請求項１５に記載の振動検出装置。
【請求項１７】
第１の光伝送路と、
前記第１の光伝送路を介して周期的に波長が変化する第１の光信号を与える光信号供給手段と、
前記光信号供給手段により与えられた前記第１の光信号を受け、外部から受けた振動の変位に対応付けられた波長を透過した第２の光信号を出力させる第１のセンサ部と、
前記第２の光信号を受け、外部から受けた振動の変位に対応付けられた波長を遮光した第３の光信号を出力させる第２のセンサ部と、
前記第２のセンサ部を介して入力される前記第３の光信号を伝送する第２の光伝送路と、
前記第２の光伝送路を介して入力される前記第３の光信号に基づいて前記第１および第２のセンサ部がそれぞれ受けた振動の変位に応じた第１および第２の検出信号を出力する信号出力部とを備え、
前記信号出力部は、前記第３の光信号の入力に応答して検出される信号のタイミングと所定のタイミングとのタイミング差に基づいて前記第１および第２のセンサ部が受けた振動の変位に応じた前記第１および第２の検出信号を並列に出力する、振動検出装置。
【請求項１８】
前記第１のセンサ部は、
外部から受けた振動に応じて変位を発生する第１の変位発生部と、
前記第１の光信号を受けて前記第１の変位発生部において発生した変位に応じて、遮光させる光の波長を変化させる第１の光フィルタ部とを含み、
前記第２のセンサ部は、
外部から受けた振動に応じて変位を発生する第２の変位発生部と、
前記第１の光フィルタ部からの前記第２の光信号を受けて前記第２の変位発生部において発生した変位に応じて、透過させる光の波長の光強度を変化させる第２の光フィルタ部とを含む、請求項１７に記載の振動検出装置。